(57)【要約】      （修正有）【課題】大雨により河川や水路の流量が増え、水位が増して河川や水路から溢れ出すことによって生じる、周辺地域の湛水、浸水を防止する方法を提供する。【解決手段】大雨の始まりや大雨の途中から、シャワーノズル１６から高速で射出する水による本排水制御装置のシャワーノズルを流水中に下げて、稼動させることで、流水の持つ自然流下の力に、後押しする力を加えることが出来、勢いよく下流に押し流すことが可能となるほか、さらに雨が降り、流水量が増え流れにくくなった時には、シャワーノズルと別構成のゲート５を流水中に下ろして、ゲート下流から上流への逆流を防止と同時に、ゲート上流側から、ゲートに開けられた開口部７全面に向けてシャワーノズルから高速の射出水を噴射すれば、開口部下流側に水を大量排水させることが可能となる。【選択図】図２
2012158970.tif 000002
【特許請求の範囲】
【請求項１】
河川や水路において、シャワーノズルから高速で水を下流に向けて射出し、周囲の水と一体になって下流に押し流し、上流側で滞留している水の水位を下げ上流域の農地の湛水、都市部の浸水を防止することを特徴とする排水制御装置。
【請求項２】
請求項１において、下流から逆流が予測される場合は、シャワーノズルの下流側に、昇降可能なゲートを配置し、ゲートの開口部から排水することを特徴とする排水制御装置。
【請求項３】
シャワーノズルから高速で射出する水による本排水制御装置は、シャワー水の圧力を変えることにより水流速度を加減することが可能であることを特徴とする排水制御装置。
【請求項４】
シャワーノズルから高速で射出する水による本排水制御装置は、河川や水路に固定することが可能であることを特徴とする排水制御装置。
【請求項５】
シャワーノズルから高速で射出する水による本排水制御装置は、河川や水路の上下方向に昇降移動することが可能であることを特徴とする排水制御装置。
【請求項６】
シャワーノズルから高速で射出する水による本排水制御装置は、河川や水路に１基を配置する単独配置方式、または複数基を水路の横断方向に並べて配置する並列配置方式が可能であることを特徴とする排水制御装置。
【請求項７】
シャワーノズルから高速で射出する水による本排水制御装置は、河川や水路の上流部と下流部に配置する縦列配置方式が可能であることを特徴とする排水制御装置。
【請求項８】
シャワーノズルから高速で射出する水による本排水制御装置は、シャワーノズル装置全体を水平方向に向きを変えることが出来、曲線状の河川や水路にも適応可能であることを特徴とする排水制御装置。
【請求項９】
シャワーノズルから高速で射出する水による本排水制御装置は、シャワーノズル装置全体を鉛直方向に向きを変えることが出来、河床の勾配が変化する形状の河川や水路にも適応可能であることを特徴とする排水制御装置。
【請求項１０】
シャワーノズルから高速で射出する水による本排水制御装置は、シャワーノズルのノズルの射出角度を変えること出来、流水の量に応じて射出範囲を変えることが可能であることを特徴とする排水制御装置。
【請求項１１】
シャワーノズルから高速で射出する水による本排水制御装置は、雨水や汚水の下水管路にも使用可能であることを特徴とする排水制御装置。
【請求項１２】
シャワーノズルから高速で射出する水による本排水制御装置は、シャワー水に圧縮空気を混合させることが出来、空気の浮力を利用してゲート通過後の水を上昇させる効果が可能であることを特徴とする排水制御装置。
【請求項１３】
シャワーノズルから高速で射出する水による本排水制御装置は、シャワーノズルから圧縮空気のみも噴射させることが出来、河川や水路の流水と混合攪拌することで河川や水路の水質浄化が可能であることを特徴とする排水制御装置。
【発明の詳細な説明】
【技術分野】
【０００１】  本発明は、農村部や都市部が大雨の時、河川や水路の水量、水位が増し、滞留による河川や水路の溢水を防止するため、シャワーノズルから高速高圧の水をシャワー状に射出し、周囲の流水と取り込んで一体化して、下流へ強く押し流す効果を有するもので、河川や水路の雨水排水装置に関するものである。
【背景技術】
【０００２】  従来、台風等の大雨時に河川や水路の水量が増え水位が上昇して、河川や水路からの溢水による農地の湛水や都市部住宅地等の床下、床上浸水を防止する方法には次のような方法がある。【０００３】  一つには河川や水路に隣接して排水機場を設置する方法であり、この方法は大雨時、河川や水路の流水を流入ゲートから導き遊水池、吸水槽、ポンプ機器、吐出水槽、吐出樋管、吐出樋門等の施設を通して外部に排水する方法であり規模の大きい施設である。【０００４】  二つには、河川や水路にポンプゲートを設置する方法である。この方法は水路内にスクリューポンプとゲートを一体とする装置を設置し、ゲートに取り付けられているポンプのスクリューを駆動して、流水をゲートの下流へ排水する方法でゲートは上下できる構造で比較的規模の小さい施設である。【０００５】  三つには、河川や水路にゲートを設け、ゲートに導入口と導出口からなる通水路を設け、その通水管路内に高圧流体の噴出口を付設して高圧流体を噴出し、管内を負圧にして上流側の水を吸引する方法の送水装置を備えた水門がある。
【先行技術文献】
【特許文献１】
【０００６】  特開平１−１２１４０９（排水機場）
【０００７】  特許第２７１１３２２号（ポンプゲート）
【０００８】  特開２００２−３８４５５（送水装置を備えた水門）
【発明の概要】
【発明が解決しようとする課題】
【０００９】  この従来技術の課題として次のような点があげられる。
すなわち、一つ目の排水機場方式は、図５に図示するような導水路１７を設け遊水池１８、吸水槽１９、ポンプ機械２０、吐出水槽２１、吐出樋管２２、吐出樋門２３、逆水樋門２４を設置するため、施設規模が大きくなり、またポンプ機械設備も大型のため、建設時の土木工事費、機械施設費や用地費等の初期投資費、その後の運転管理のための維持管理費が多額のものとなる。【００１０】  二つ目の、ポンプゲート方式は図６に図示するように比較的小規模な水路に設けられるもので、昇降自在なゲート２５の通水路内にスクリューポンプ２６を設け、このスクリューの回転により通水路から強制排水を行う構造であるが、塵芥がスクリューと通水路の間に詰まってスクリューが損傷したりして通水機能の低下が生じたりするおそれがある。【００１１】  そのため、塵芥を除去するためスクリーンを設置して、ポンプの保護を必要とするが流下物が大きく、多量であるとスクリーンとは別に流下物を掻き揚げる除塵施設が必要となり、除去した塵芥等の処理施設や機器の運転管理が必要となる。【００１２】  前記ポンプゲート方式は、スクリューポンプとゲートが一体式の構成となっていて別々に動かす構成になっていない。しかし、河川や水路の状況によっては別々に構成する方が効果的である。【００１３】  三つ目の、送水装置を備えた水門は図７に図示するように、ゲート２６に湾曲部を有する通水路を設け、通水路の一端の設けられた導入口を上流側と連通し、導出口は通水路の下流側と連通し、通水管内に高圧流体噴出装置２７と噴出口が設けられ、噴出により負圧になった通水管内の上流側の水を吸引する方法であるが次のような課題がある。【００１４】  前記送水装置を備えた水門は、通水管路を負圧にして上流側の水を吸引する方法なので通水路として湾曲した通水管路が必要であり、高圧流体噴出装置もゲートと一体化しているため重量が重くなり水門操作装置の負荷が大きくなる。【００１５】  前記送水装置を備えた水門は、通水管があり、曲管も使用しているため、管路内面や湾曲部を流れる水流は摩擦抵抗を受けるため、排水効率が低下する。【００１６】  前記送水装置を備えた水門は、ゲートに送水装置が付設した一体式の構造で通水管路を負圧にして上流側の水を吸引する方法なので、送水装置を機能させるためにはゲートも下げなければならないことからゲートと送水装置を別々に構成できない欠点がある。
しかし、河川や水路の状況によっては、別々に構成する方が効果的である。【００１７】  それは、大雨が降り始め、勾配の緩い河川や水路で流れが悪くなっても下流側からの逆流がない場合は、流水の流れを速め、河川や水路の有している自然流下の能力を生かしてあげれば、小さな力ですむ。すなわち、本排水制御装置のシャワーノズルだけを水中に配置、稼動して、下流側に流水を勢いよく押し流すようにし、水の流れを速め、大量に排水すれば上流域の水位を下げることが出来る。こうした機能は、前記ポンプゲートや送水装置を備えた水門にはない。【００１８】  前記前記ポンプゲートや送水装置を備えた水門は、まだ、流水に流れる機能があっても、一体化しているゲートを下げなければならないのである。ゲートを下げることは、流水の有している流れる機能を損なっている。流れをわざわざ堰き止め、流水の全量を排水しなければならない構造となっている。
それでは流水が持つ流下能力を活かしていないし、大きな排水能力が必要となるので、エネルギーを損失していることになる。【００１９】  すなわち、本排水制御装置を使用することにより、流水の流れようとするエネルギーを失うことなく、装置位置から上流側の水を下流側へ連続的に大量に押し流せば、上流部の全体水量を減らすことが出来、その効果として上流側の河川や水路での流水の溢水を未然に防止することができる。【００２０】  つまり、自然流下で流れる河川や水路では、事前に流れを速めて下流側に排水しておき、上流側の水位を下げておくことで河川や水路の溢水を防止でき、その結果、農地、都市部の浸水を防ぐことができる。【００２１】  そして、さらに雨が多く降り続け、河川や水路の水の流れが悪くなり下流からの逆流のおそれが生じた場合にようやくゲートを下ろして、ゲート下流側からの逆流を防止し、本排水制御装置によりゲート上流側の流水を排水すればよいのである。【００２２】  また、近年、流域の土地利用の状況変化や異常気象により、河川や水路を流れる水量が、当初の計画を上回る状況にあり、その対応が求められている。既に、出来上がった河川や水路の護岸を広げたりすることは不可能に近い。そして、前記排水機場やポンプゲートや送水装置を備えた水門も、設置後の改良改修は、構造が一体となって構成されているため、容易ではない。【００２３】  また、前記送水装置を備えた水門は導入口が下向きの構成している場合排水路底部に塵芥が溜まり、導入口が塞がれてしまって、送水不能に陥る事態が発生する。【００２４】  そして、高圧流体噴出装置が水門に付設した構造のため、高圧流体噴出装置の噴出口付近に異常が生じた場合は、水門を引き上げなければ修理できない。
【課題を解決するための手段】
【００２５】  本発明は上記課題を解決するため、シャワーノズルから高速で射出する水による排水制御装置を提供するものである。【００２６】  以下、図１に基づき、本発明を説明する。
河川や水路に上下昇降開閉自在なゲート５を設け、ゲートには穿たれた開口部７を有し、開口部には逆流防止弁６が設けられている。【００２７】  この逆流防止弁をゲートに付設する方式は、フラップ弁やスルース弁、バタフライ弁でも可能である。【００２８】  シャワーノズル１４を使用した本排水制御装置を河川や水路の水中に配置し、下流に向かってシャワーノズルから高速の水を射出すれば、周囲の水流を取り込んで一体となり、高速高圧の水流となって勢いよく大量に流れる。そして本排水制御装置により上流側の水が下流側へ大量に押し流されることになる。シャワーノズルから高速の水を射出し続けることで、河川や水路が有している自然流下の力をさらに増幅させるのである。
そうすることで、上流側の水位が下がり、河川や水路の溢水をなくすことが出来、上流地域の住宅地、水田、畑地、道路等の湛水、浸水を防止することが可能になる。【００２９】  シャワーノズルから高速で射出する水による本排水制御装置を河川や水路の水中に配置し、稼動させるわけであるが、稼動後、さらに大雨が降って水量や水位が増して、流れが悪くなり下流からの逆流が心配されるときは、本排水制御装置を構成しているゲートを流水中に下げて、下流から上流への水の逆流を防止する。【００３０】  そしてシャワーノズルから高速高圧の射出水を、ゲートの開口部全体を覆うように射出すれば、シャワーノズルからの射出水が周囲の河川や水路の流水と混合一体化され速められて、高速高圧の水流となってゲートの開口部を通過して本排水制御装置の下流側へ勢いよく大量に流れ、ゲート下流の水位を押し上げ排水することが可能となる。【００３１】  したがって、本排水制御装置は、送水装置を備えた水門のように、通水管路内を高圧流体噴出装置により負圧にして上流側の水を吸引する方法とは異なり、シャワーノズルを使用した高速高圧のシャワーノズルからの射出水により、上流側からの流水を速め、同時に加圧してゲート開口部全断面を高速高圧水流で下流に押し流し排水する方式であるため、水門に送水装置が付設した一体式の構造や通水管路を用いる必要がなく、シャワーノズルとゲートのみの簡便な構造で済む。【００３２】  さらに、シャワーノズルから高速で射出する水による本排水制御装置によれば、ゲートを下げない時でも有効に効果を発揮することができる。【００３３】  すなわち下流からの逆流のおそれがないときは、河川や水路には自然流下の力、連続的に下流に流れようとする力がある状態である。その速度エネルギーをそのまま有効活用することができれば少ない力で流せる。つまり、ゲートを下げることは河川や水路の流れをせき止めて流水の持つ速度エネルギーの損なうこととなるが、ゲートを下げない状態で、流水が持つ自然流下の力を生かせば、それだけより少ない力で、下流側に押し流すことが可能となる。【００３４】  したがって、自然流下で流れる勾配の緩い河川や水路において大雨で増水したときや増水が予想されるとき、事前にゲートの上流側に配置した本排水制御装置のシャワーノズルを流水の中に下ろして稼動し、シャワーノズルから高速のシャワー状の水を下流側に射出すれば流水の流れを速め、下流側へ連続して押し流すことができる。
そして流水の持つ、流れようとする力を活かすことが出来るのでより大量の水を下流へ押し流すことができる。【００３５】このように、本排水制御装置は、大雨の降り始めの流水の流れる機能を活かしつつ排水でき、また、ゲートを別の構成として活用できるのが特徴である。【００３６】  また、本排水制御装置の送水ポンプの圧力を増減することでシャワーノズルからの射出水の速度を変化させることが出来、速くすればするほど水流の勢いが高まるのでゲート下流側への排水揚程が高くなる。【００３７】  シャワーノズルから高速で射出する水による本排水制御装置は、前記のようにゲートを下げないで単独で配置使用することも可能である。
また、河川や水路の河床に固定して、稼動させることも可能である。【００３８】  シャワーノズルから高速で射出する水による本排水制御装置は、普段河川や水路外に配置し、大雨時、支持架台が油圧シリンダー等で上下に移動させることが可能であり、普段は上にあげておいて、維持管理しやすいようにすることが出来る。そして、大雨時に流水に降下させることが可能である。【００３９】  本排水制御装置を河川や水路の幅に応じて単独で１基配置する方式や大きさの異なる複数基を水路の横断方向に並列配置する方式をとることが可能である。【００４０】  また、河川や水路の上流部と下流部や、河川、水路の支川部と本川部に複数配置する縦列配置する方式を取ることで、大雨のとき河川、水路の上流部と下流部や支川部と本川部の水位変化を観測しながら下流部を多く排水したり、少なく排水したりと連動稼動することが出来、河川等の排水能力に応じた稼動が可能となり、降雨状況に応じた排水が出来る。【００４１】  大雨が予測されるような場合に、前もって本排水制御装置を稼動すれば、上流側の水位を事前に下げておくことが出来、上流域の河川の溢水、流域周辺の浸水を未然に予防できるので運転による効果が大きい。【００４２】  シャワーノズルから高速で射出する水による本排水制御装置は、シャワーノズル全体の向きを水平方向に向きを変えることができる。【００４３】  すなわち曲線状の河川や水路においても本排水制御装置を配置し、シャワーノズル全体の軸方向をギヤや油圧等で水平方向に向きを調整することができるので、シャワーノズルからの水の射出方向を河川や水路の流れの向きと同一にすることが可能である。それにより、流水を無駄なく流すことが出来、河川や水路の側壁部の洗掘や損傷を防止することが可能となる。【００４４】  シャワーノズルから高速で射出する水による本排水制御装置は、シャワーノズル全体の向きを鉛直方向に変えることができる。【００４５】  すなわち、河床の勾配が変化する河川や水路においても本装置を設け、シャワーノズル全体の軸方向をギヤや油圧等で鉛直方向に向きを調整することができるので、高速のシャワーノズルから水の射出方向を河川や水路の勾配に合せ、向きを調整することが可能である。それにより、流水を無駄なく流すことが出来、河川や水路の河床部の洗掘や損傷を防止することが可能となる。【００４６】  シャワーノズルから高速で射出する水による本排水制御装置の、シャワーノズルはノズルの射出角度の大きさを油圧ジャッキ等で変えることができる。したがって、流水の多少による水深の変化に応じて角度を変更し、流水を無駄なく排水することができる。
それは、流水が多く水深が深い場合、ノズルの噴射角度を大きくして、広い範囲を押し流すようにすることや、逆に水深が浅い場合、ノズルの噴射角度を小さくして、狭い範囲を押し流すようにすることが可能である。【００４７】  また、下水管路で管路内が塵芥、汚物等で閉塞し流れにくくなったとき、管路の途中にある人孔内に設けた本排水制御装置で管内にシャワーノズルからの射出水を噴射し管路の閉塞を解消することが可能である。【００４８】  それは、人孔内に予め設けた水位検知器で閉塞に伴う水位上昇を検知し、本排水制御装置を上下昇降装置で下げ、シャワーノズルから高速高圧の水を下流側又は上流側の管路に向かって射出し、管の中の閉塞物を押し流すことができる。【００４９】  シャワーノズルから高速で射出する水による本排水制御装置は、シャワーノズルに空気も送り込むことが可能である。  それにより、射出される高速高圧の水と混合して下流に押し流され、空気の浮き上がる力により、ゲート通過後の水が空気とともに水面方向に上昇し、排水効果が高まる。【００５０】  シャワーノズルから高速で射出する水による本排水制御装置は、シャワーノズルに空気だけを送り込むことが可能である。それにより、大雨以外のとき、流水中に配置して、稼動させることで射出される高速高圧の空気が泡状となり、流水を混合攪拌するので、流水中の好気性微生物を活性化させることが出来、流水の水質浄化が可能となる。
【発明の効果】
【００５１】  以上の説明のように、シャワーノズルから高速で射出する水による本排水制御装置は、ゲートと独立した構成をとることが可能なのでゲートで河川や水路を閉め切ることなく、河川や水路の流水を下流側に大量に速め押し流すことができる。【００５２】したがって、大雨が予想されるとき事前に稼動させて上流の水を下流に流せば上流部での水位上昇による溢水を未然に防止できるので農地や都市部住宅地の湛水、浸水を防ぐことができる。【００５３】  また、ゲートと組み合せ稼動させることも可能なので、下流から逆流が生じるおそれのあるときでも使用可能である。そのため、大雨時、河川や水路の流量の少ない時から多い時まで、広範囲に利用が可能である。【００５４】  また、本排水制御装置はシャワーノズルから射出する流体の圧力を変えることができるので、流水の多少に対応が可能である。【００５５】  また、本排水制御装置は、河川や水路に固定することも出来るので、使用条件の選択肢が広げることが可能である。【００５６】  また、本排水制御装置は、上下に昇降することで、使用時と非使用時の使い分けが可能である。【００５７】  また、本排水制御装置は、単独配置、複数機を並列、縦列配置することが出来るので、河川や水路の形状、状況に応じた配置が可能である【００５８】  また、シャワーノズル全体の軸方向を水平や鉛直方向に向きを変えることができるので曲線状の水路や河床勾配が変化する河川や水路の状況に合わせた配置が可能である。【００５９】  また、シャワーノズルのノズルの角度を変えることができるので、流水の水深に応じた稼動が可能である【００６０】  また、下水管路でも応用が可能であり、空気を混合することで排水効果の高まりや流水の水質浄化に役立つことが可能である。【００６１】  シャワーノズルから高速で射出する水による本排水制御装置は、少ない面積と簡便な構成で済むため、新設費や既存施設の改修費の低減が図れる。
【図面の簡単な説明】
【００６２】
【図１】本発明の実施例を示す斜視図
【図２】本発明の実施例を示す側面図
【図３】本発明の実施例を示す正面図（図２のＡ−Ａ断面図）
【図４】本発明の実施例を示す平面図（図２のＢ−Ｂ断面図）
【図５】従来技術の排水機場の図
【図６】従来技術のポンプゲートの図
【図７】従来技術の送水装置を備えた水門の図
【図８】上下昇降可能を示す図
【図９】並列配置、縦列配置方式を示す図
【図１０】シャワーノズルの軸を水平方向に向きを変えることが可能を示す図
【図１１】シャワーノズルの詳細図
【図１２】シャワーノズルの射出角度を変えることが可能を示す図
【図１３】下水管路にも使用が可能であることを示す図
【発明を実施するための形態】
【００６３】  次に上記シャワーノズルから高速で射出する水による本排水制御装置の実施の形態を図１、図２、図３、図４、図５、図６、図７、図８、図９、図１０、図１１、図１２、図１３に基づいて説明する。
【実施例１】
【００６４】  図１は本発明の実施例を示す斜視図である。
図２は本発明の実施例を示す側面図である。
図３は本発明の実施例を示す図２のＡ−Ａ正面図である。
図４は本発明の実施例を示す図２のＢ−Ｂ平面図である。【００６５】  図１において、河川や水路に上下昇降開閉自在なゲート５を配置し、そのゲートには開口部８があり、逆流防止弁６が付設されている。【００６６】  そして、上流側には上下に移動可能なシャワーノズルが配置されている。
大雨時が予想されるときなど、事前にシャワーノズルを流水中に降下して、高圧ポンプから送り出される流体をシャワーノズルから高速のシャワー状の水にして射出し周囲の流水と一体となり、水流を速めて下流に押し流す。【００６７】  すると、上流側の水が本排水制御装置の下流側に流れ、上流側の水位が下がり上流側で大雨が降っても水位の上昇が防止できるので、上流領域の溢水や浸水を防ぐことができる。【００６８】  大雨が降り始め、河川や水路の水位の上昇がさほどでないときにゲートを降ろすことは、まだ、自然流下で流れる機能がある状態でありながら、ゲートで河川等の流れをせき止めるので流水が持っている速度エネルギーを損なうことになり、せき止めた河川水の全量を送水装置で排水する必要が生じ、余分な力が必要で非効率なものとなる。【００６９】  こうした場合、シャワーノズルだけを下げ、高速高圧のシャワー状の水を下流に向けて射出すれば流水が流れようとする速度エネルギーを利用しつつ流れを速めることができ、少ない力で大量に連続して押し流すことができる。【００７０】  さらに、流域で大雨の状態が続き、下流側への流れが滞って上流側へ逆流が生じるおそれが生じた場合、ゲートを降ろし高速高圧のシャワー状の水をゲートの開口部に向け射出すれば、シャワー水により周囲の流水が速められて開口部を通過して排水することが可能である。【００７１】  その結果、上流側の水量が減り上流側の水量が減り上流域での溢水や浸水を防ぐことができる。
【実施例２】
【００７２】  図５は従来技術の排水機場である
図６は従来技術のポンプゲートである
図７は従来技術の送水装置を備えた水門である。
【実施例３】
【００７３】  図８はゲートと別に独立して上下昇降可能を示す実施例である。
シャワーノズルから高速で射出する水による本排水制御装置は、ゲートと独立して配置し、上下に昇降することが可能である。【００７４】  またゲートとともに連動稼動することが可能となるので、河川や水路の流量が少ないときから、多いときまで使用範囲の幅が広がり、気象条件に応じて対応することが可能である。
【実施例４】
【００７５】  図９は並列に配置する方式を示す実施例である。
本排水制御装置を河川や水路の幅に応じて単独で１基配置する方式や大きさの異なる複数基を水路の横断方向に並列配置する方式をとることが可能である。
【実施例５】
【００７６】  図１０は縦列に配置する方式を示す実施例である。
本排水制御装置を河川や水路の上流部と下流部や河川の支川と本川に設置する縦列配置方式をとり、水位変化を観測しながら連動運転することで、河川等の排水能力に応じた効率的な排水が可能となる。  大雨が予測されるような場合でも連動運転が可能なので、事前に上流側の水位を下げられるので、上流域の溢水予防の効果が大きい。
【実施例６】
【００７７】  図９はシャワーノズル全体の軸方向を変えることが可能であることを示す実施例である。曲線状の河川や水路においても方向可変装置により、河川や水路の流向に合わせシャワーノズルの軸方向を変えることができるので、河川や水路の側壁部洗掘や損傷を防止することが可能である。
【実施例７】
【００７８】  図１１は排水制御装置のシャワーノズルの詳細図である。シャワーノズルの根元は可撓性を有するゴム製や鋼管で構成され、シャワーノズルの向きを変えたとき、力を吸収するものである。【００７９】  図１２はシャワーノズルから出る水の射出角度を変えることが可能であることを示す実施例である。シャワーノズルから高速で射出する水による本排水制御装置の、シャワーノズルを油圧ジャッキ等で動かし、角度を変えることができるので流水の水深に応じて射出角度を調整することが可能である。
【実施例８】
【００８０】  図１３は下水管路にも使用可能であることを示す実施例である。
下水管路で管路内が塵芥、汚物等で閉塞し流れにくくなったとき、人孔内に設けた本排水制御装置で管路の閉塞を解消できる。【００８１】  人孔内に予め設けた水位検知器で管路閉塞に伴う水位上昇を検知し、本排水制御装置を上下昇降装置により下げ、高速のシャワーノズルから出る射出水を下流側又は上流側の管路に向かって射出し、管内を高圧高速水により洗浄することで管の中の閉塞物を押し流すことが可能である。
【符号の説明】
【００８２】  １  昇降装置
２  架台（鉄筋コンクリート製、鋼製等）
３  ガイド
４  スピンドル
５  ゲート
６  逆流防止弁
７  開口部
８  ポンプ桝
９  高圧ポンプ
１０  コンプレッサー
１１  フレキ配管（伸縮自在）
１２  支持架台（鋼製等）
１３  水平方向可変装置
１４  鉛直方向可変装置
１５  油圧シリンダー（上下昇降駆動装置）
１６  シャワーノズル
１７  河川、水路
１８  導水路
１９  遊水池
２０  吸水槽
２１  ポンプ設備
２２  吐出水槽
２３  吐出樋管
２４  吐出樋門
２５  逆水樋門
２６  ゲート
２７  スクリューポンプ
２８  ゲート
２９  高圧流体噴出装置
３０  人孔
３１  水位検知器
３２  上下昇降装置
３３  フレキ配管（伸縮自在）
３４  シャワーノズル
【図１】
2012158970.tif 000003
【図２】
2012158970.tif 000004
【図３】
2012158970.tif 000005
【図４】
2012158970.tif 000006
【図５】
2012158970.tif 000007
【図６】
2012158970.tif 000008
【図７】
2012158970.tif 000009
【図８】
2012158970.tif 000010
【図９】
2012158970.tif 000011
【図１０】
2012158970.tif 000012
【図１１】
2012158970.tif 000013
【図１２】
2012158970.tif 000014
【図１３】
2012158970.tif 000015